【事件の表示】
　特願２００２−　７８９４３「加工性及び加工部耐食性に優れた塗装めっき鋼板」拒絶査定不服審判事件〔平成１５年１０月　２日出願公開、特開２００３−２７７９０３〕について、次のとおり審決する。
【結　論】
　本件審判の請求は、成り立たない。
【理　由】
Ｉ．手続の経緯・本願発明
　本願は、平成１４年３月２０日の出願であって、平成１７年１月１１日付で拒絶査定がなされ、これに対し、平成１７年２月１０日に拒絶査定に対する審判請求がなされるとともに、手続補正がなされたものである。
　
II．平成１７年２月１０日付の手続補正についての補正却下の決定
［補正却下の決定の結論]
　平成１７年２月１０日付の手続補正を却下する。
　
［理由］
１．手続補正の内容
　本件手続補正は、特許請求の範囲の請求項１、２の記載を次のとおりとする補正事項を含むものである。
　「【請求項１】　Ａｌ：４〜２２質量％，Ｍｇ：１〜４質量％，Ｔｉ：０〜０.１質量％，Ｂ：０〜０.０４５質量％を含み、残部が不可避的不純物を除きＺｎの組成をもち、Ａｌ／Ｚｎ／Ｚｎ２Ｍｇの三元共晶組織のマトリックスに初晶Ａｌ相又は初晶Ａｌ相及びＺｎ単相が混在した金属組織の溶融めっき層が設けられている溶融めっき鋼板を基材とし、軟化開始温度：３０℃以下のイソシアネート硬化型ポリエステル塗料から成膜された塗膜伸び率：１００％以上の熱硬化型樹脂塗膜がエポキシ系樹脂塗膜を介して溶融めっき層の上に設けられていることを特徴とする加工性及び加工部耐食性に優れた塗装めっき鋼板。」（以下、「本願補正発明１」という。）
　「【請求項２】　Ａｌ：４〜２２質量％，Ｍｇ：１〜４質量％，Ｔｉ：０〜０.１質量％，Ｂ：０〜０.０４５質量％を含み、更に希土類元素，Ｙ，Ｚｒ，Ｓｉから選ばれた１種又は２種以上を０.００２〜０.０５質量％含み、残部が不可避的不純物を除きＺｎの組成をもち、Ａｌ／Ｚｎ／Ｚｎ２Ｍｇの三元共晶組織のマトリックスに初晶Ａｌ相又は初晶Ａｌ相及びＺｎ単相が混在した金属組織の溶融めっき層が設けられている溶融めっき鋼板を基材とし、軟化開始温度：３０℃以下のイソシアネート硬化型ポリエステル塗料から成膜された塗膜伸び率：１００％以上の熱硬化型樹脂塗膜がエポキシ系樹脂塗膜を介して溶融めっき層の上に設けられていることを特徴とする加工性及び加工部耐食性に優れた塗装めっき鋼板。」　
　
２．補正目的違反について
　上記補正事項のうち請求項２についての補正は、請求項１を引用した従属形式を独立形式に改めるとともに、補正前の組成に「希土類元素，Ｙ，Ｚｒ，Ｓｉから選ばれた１種又は２種以上を０.００２〜０.０５質量％」を新たな成分として付加するものである。
　しかしながら、このような補正前の組成に含有されない成分を新たな成分として付加する補正は、補正前の組成をそれに包含されない新たな組成に変更するのであるから、特許法第１７条の２第４項第２号に規定する特許請求の範囲の限定的限縮には該当しない。
　また、この補正が同項第１、３、４号に規定する請求項の削除、誤記の訂正、明りょうでない記載の釈明のいずれにも該当しないことは明らかである。
　よって、この補正を含む本件手続補正は、特許法第１７条の２第４項の規定に違反するものである。
　
３．独立特許要件違反について
　上記補正事項のうち請求項１についての補正は、発明特定事項の「熱硬化型樹脂塗膜」について、「軟化開始温度：３０℃以下のイソシアネート硬化型ポリエステル塗料から成膜された」ものである旨を限定するものであり、特許法第１７条の２第４項第２号に規定する特許請求の範囲の限定的限縮に該当するから、本願補正発明１が、特許出願の際独立して特許を受けることができるものであるか否か、すなわち特許法第１７条の２第５項で準用する同法第１２６条第５項の規定に適合するか否かについて、以下検討する。
　
３−１．引用刊行物とその記載事項
　原査定の拒絶の理由に引用された本願の出願日前に頒布された刊行物である特開平７−１２６８２６号公報（以下、「引用例１」という。）、特開平１０−３０６３５７号公報（以下、「引用例２」という。）には、次の事項が記載されている。
（１）引用例１：特開平７−１２６８２６号公報
（１ａ）「【請求項１】　・・・鋼板に・・・Ｚｎメッキを施し・・・た溶融亜鉛メッキ鋼板・・・の片面または両面に・・・プライマー塗装を施し、その上に伸び率：３０％以上・・・をもつ塗料で・・・上塗塗装を施した事を特徴とする重量シャッター用プレコート塗装鋼板。」（特許請求の範囲の請求項１）
（１ｂ）「本発明は長期間に渡って重量シャッター用素材として使用される耐食性に優れた重量シャッター用プレコート塗装鋼板に関するものである。」（【０００１】）
（１ｃ）「本発明は・・・塗料塗装膜の密着性、耐摩耗性・・・屈曲性の優れた重量シャッター用プレコート塗装鋼板を提供することを目的としたもので・・・」（【０００６】）
（１ｄ）「鋼板に・・・ＺｎあるいはさらにＡｌ，Ｍｇなどのメッキ特性向上成分の少量を添加した溶融Ｚｎメッキ層を施した溶融Ｚｎメッキ鋼板・・・を化成処理する。」（【０００７】）
（１ｅ）「上塗塗料は耐摩耗性、加工性を満たすと共に・・・重量シャッター用プレコート塗装鋼板に要求される性質を付与するものであって、オイルフリーポリエステル・・・の主要樹脂に・・・ブロックイソシアネートなどの架橋剤を配合した樹脂・・・などを使用し・・・塗装する。
　伸び率の３０％以上はシャッター形状に加工する際に塗装膜の亀裂を防止して耐食性、耐水性を維持するに必要な性質であるが、３０％未満の伸び率では材質的に脆く軽度の加工で塗装膜が破断し耐食性などを劣化する問題がある。・・・」（【００１０】〜【００１１】）
（１ｆ）表２には、実施例の「本発明５」について、プライマー組成は、エポキシ系であり、上塗塗料組成は、伸び率１００％の高分子ポリエステル系であることが示されている。（【００１６】）
　
（２）引用例２：特開平１０−３０６３５７号公報
（２ａ）「【請求項２】　Ａｌ：４.０〜１０.０重量％，Ｍｇ：１.０〜４.０重量％，Ｔｉ：０.００２〜０.１重量％，Ｂ：０.００１〜０.０４５重量％，残部がＺｎおよび不可避的不純物からなる溶融めっき層を鋼板表面に形成した溶融Ｚｎ基めっき鋼板であって，当該めっき層が，〔Ａｌ／Ｚｎ／Ｚｎ２Ｍｇの三元共晶組織〕の素地中に〔初晶Ａｌ相〕と〔Ｚｎ単相〕が混在した金属組織を有する耐食性および表面外観の良好な溶融Ｚｎ−Ａｌ−Ｍｇ系めっき鋼板。」（特許請求の範囲の請求項２）
　
３−２．当審の判断
（１）引用例１に記載の発明
　引用例１には、摘記事項（１ａ）によれば、溶融亜鉛メッキ鋼板に、プライマー塗装を施し、その上に伸び率３０％以上をもつ塗料で上塗塗装を施したプレコート塗装鋼板が記載され、また、摘記事項（１ｂ）、（１ｃ）によれば、この塗装鋼板は、耐食性、塗料塗装膜の密着性、耐摩耗性、屈曲性に優れること、すなわち、耐食性、加工性に優れることが記載されている。さらに、摘記事項（１ｆ）によれば、プライマー塗料組成はエポキシ系であり、上塗塗料組成は伸び率１００％の高分子ポリエステル系であることが記載されている。そして、高分子ポリエステルは、本願明細書の表２にも、熱硬化型樹脂の上塗り塗膜の例として、「Ａ：高分子ポリエステル、Ｂ：イソシアネート硬化型ポリエステル」と記載されているように、熱硬化型樹脂であることは明らかであるし、溶融亜鉛メッキ鋼板が、Ｚｎ基の組成をもつ金属組織の溶融メッキ層を備えることも明らかである。
　以上の事項を考慮し、上記摘記事項（１ａ）〜（１ｃ）、（１ｆ）の記載を総合すると、引用例１には、
　「Ｚｎ基の組成をもつ金属組織の溶融めっき層が設けられている溶融めっき鋼板を基材とし、高分子ポリエステル塗料から成膜された塗膜伸び率：１００％の熱硬化型樹脂塗膜がエポキシ系樹脂塗膜を介して溶融めっき層の上に設けられている加工性及び耐食性に優れた塗装めっき鋼板。」（以下、「引用例１発明」という。）が記載されているといえる。
　
（２）対比・判断
　本願補正発明１と引用例１発明とを対比すると、両者は、
　「Ｚｎ基の組成をもつ金属組織の溶融めっき層が設けられている溶融めっき鋼板を基材とし、塗膜伸び率：１００％の熱硬化型樹脂塗膜がエポキシ系樹脂塗膜を介して溶融めっき層の上に設けられている加工性及び耐食性に優れた塗装めっき鋼板。」で一致し、次の点で相違する。
　
相違点：
（イ）溶融めっき層が、本願補正発明１では、「Ａｌ：４〜２２質量％，Ｍｇ：１〜４質量％，Ｔｉ：０〜０.１質量％，Ｂ：０〜０.０４５質量％を含み、残部が不可避的不純物を除きＺｎの組成をもち、Ａｌ／Ｚｎ／Ｚｎ２Ｍｇの三元共晶組織のマトリックスに初晶Ａｌ相又は初晶Ａｌ相及びＺｎ単相が混在した金属組織」であるのに対し、引用例１発明では、「Ｚｎ基の組成をもつ金属組織」である点
（ロ）熱硬化型樹脂塗膜が、本願補正発明１では、「軟化開始温度：３０℃以下のイソシアネート硬化型ポリエステル塗料から成膜された」ものであるのに対し、引用例１発明では、「高分子ポリエステル塗料から成膜された」ものである点
（ハ）本願補正発明１は、「加工部耐食性」に優れるのに対し、引用例１発明は、「加工部耐食性」に優れることが不明である点
　
　次に、上記相違点（イ）〜（ハ）について検討する。
相違点（イ）について
　引用例１の摘記事項（１ｄ）には、溶融Ｚｎめっき層として、ＺｎにさらにＡｌ、Ｍｇなどのメッキ特性向上成分の少量を添加したものを用いることが記載されているから、引用例１発明の溶融めっき層は、Ａｌ、Ｍｇを含むＺｎ基の組成をもつものを包含しているといえる。
　また、引用例２の摘記事項（２ａ）には、Ａｌ：４.０〜１０.０重量％、Ｍｇ：１.０〜４.０重量％、Ｔｉ：０.００２〜０.１重量％、Ｂ：０.００１〜０.０４５重量％、残部がＺｎおよび不可避的不純物からなり、〔Ａｌ／Ｚｎ／Ｚｎ２Ｍｇの三元共晶組織〕の素地中に〔初晶Ａｌ相〕と〔Ｚｎ単相〕が混在した金属組織を有する溶融めっき層を鋼板表面に形成した良好な耐食性を有する溶融Ｚｎ基めっき鋼板が記載されているし、引用例２に記載されるようなＡｌ、Ｍｇを含むＺｎ基の組成と金属組織の溶融めっき層が、その上に樹脂塗膜を形成した塗装めっき鋼板に適用されることも、例えば、次の周知例１、２の記載にみられるように、本願の出願前に周知の事項である。
　
　周知例１：特開２０００−２１９９５０号公報
　特許請求の範囲の請求項１には、「重量％で、Ａｌ：３．０〜６．０％、Ｍｇ：１．０〜７．０％を含有し、残部がＺｎおよび不可避的不純物からなり、かつ、Ｚｎ初晶相とＺｎ−Ａｌ−Ｍｇ３元共晶相により構成される溶融めっき層を片面もしくは両面に有することを特徴とする塗装後耐食性に優れた溶融Ｚｎ−Ａｌ−Ｍｇめっき鋼板。」と記載されている。
　
　周知例２：特開２０００−１０４１５４号公報
　特許請求の範囲には、「【請求項２】　鋼板の表面に、Ｍｇ：３〜１０重量％、Ａｌ：４〜１７重量％、Ｓｉ：０．０１〜２重量％を含有し、かつ、ＭｇとＡｌが下式、Ｍｇ（％）＋Ａｌ（％）≦２０％を満たし、残部がＺｎ及び不可避的不純物よりなるＺｎ合金めっき層を有することを特徴とする耐食性に優れためっき鋼板。
・・・
【請求項４】　めっき層が〔Ａｌ／Ｚｎ／Ｚｎ２Ｍｇの三元共晶組織〕の素地中に〔初晶Ｍｇ２Ｓｉ相〕と〔Ｚｎ２Ｍｇ相〕及び〔Ａｌ相〕が混在した金属組織を有することを特徴とする請求項２に記載の耐食性に優れためっき鋼板。
・・・
【請求項６】　めっき層が〔Ａｌ／Ｚｎ／Ｚｎ２Ｍｇの三元共晶組織〕の素地中に〔初晶Ｍｇ２Ｓｉ相〕と〔Ｚｎ相〕及び〔Ａｌ相〕が混在した金属組織を有することを特徴とする請求項２に記載の耐食性に優れためっき鋼板。
・・・
【請求項９】　請求項１〜７に記載のめっき鋼板のめっき層の上に・・・有機被膜層を有することを特徴とする耐食性の優れた塗装鋼板。」と記載されている。
　
　してみれば、引用例１発明の塗装めっき鋼板におけるＡｌ、Ｍｇを含むＺｎ基の組成をもつ溶融めっき層として、引用例２に記載されるようなＡｌ、Ｍｇ等を含む組成と金属組織の溶融めっき層を適用することにより、本願補正発明１の相違点（イ）の特定事項を備えたものとすることは、引用例２の記載及び上記周知事項に基づいて当業者が容易に想到し得たことというべきである。
　
相違点（ロ）について
　引用例１の摘記事項（１ｅ）によれば、加工性を満たす上塗塗料には、ポリエステル樹脂にイソシアネートの架橋剤を配合したものを用い得ることも記載されているから、引用例１発明は、熱硬化型樹脂塗膜として、高分子ポリエステル塗料から成膜された熱硬化型樹脂塗膜とともに、イソシアネート硬化型ポリエステル塗料により成膜された熱硬化型樹脂塗膜も用い得ることは明らかである。
　そして、上塗塗膜のガラス転移温度が１５〜５０℃であると、上塗塗膜が好ましい硬さであるため、めっき層のクラックや剥離が生じにくいこと、及び、軟化点はガラス転移温度よりもかなり低い温度であることは、例えば、次の周知例３、４の記載にみられるように、本願の出願前に周知の事項である。
　
　周知例３：特開平４−１１００７０号公報
　４頁右上欄５〜１３行には、「一般に、ガラス転移温度の高い塗膜は硬く低い塗膜は柔らかいので、上層塗膜１のガラス転移温度が５０℃以下であると、合金層４にクラック６が生じ難く、剥離も起こり難い。しかし、ガラス転移温度の低すぎる塗膜は、疵が付き易く又汚れ易く耐食性にも劣る等の欠点があるので、上層塗膜のガラス転移温度は１５℃以上でなければならない。」と記載されている。
　
　周知例４：高分子学会高分子辞典編集委員会編「新版高分子辞典」、朝倉書店、１９８９年９月１０日発行、３２４頁右欄「軟化点」の項
　「軟化点」の項には、「温度の上昇に伴って実用上変形が大きくなり外力に耐えられなくなる温度．したがって，ガラス転移温度あるいは融点よりかなり低い温度が軟化点になる．」と記載されている。
　
　そうすると、上塗塗膜が好ましい硬さを有するための軟化温度は、下限が１５℃よりかなり低く、上限も５０℃よりかなり低いといえるから、引用例１発明において、上塗塗膜である熱硬化型樹脂塗膜を上記好ましい硬さとするために、熱硬化型樹脂塗膜の軟化開始温度を３０℃以下とすることは、当業者が適宜になし得ることといえる。
　してみると、引用例１発明において、本願補正発明１の相違点（ロ）の特定事項を備えたものとすることは、引用例１の摘記事項（１ｅ）の記載及び上記周知事項に基づいて当業者が容易に想到し得たことというべきである。
　
相違点（ハ）について
　引用例１発明の塗装めっき鋼板は、加工性及び耐食性に優れたものである。しかも、引用例１の摘示事項（１ｅ）の記載のとおり、「（上塗塗膜の）伸び率の３０％以上はシャッター形状に加工する際に塗装膜の亀裂を防止して耐食性、耐水性を維持するに必要な性質である」ところ、引用例１発明の塗装めっき鋼板は、上塗塗膜の伸び率が１００％であるから、加工後においても塗装膜の亀裂を防止して耐食性を維持しているといえる。
　したがって、加工部耐食性に優れる点で、本願補正発明１と引用例１発明とが格別に相違するとはいえない。
　
　以上の相違点についての検討からみて、本願補正発明１は、引用例１、２に記載された発明及び上記周知事項に基づいて当業者が容易に発明をすることができたものである。
　
３−３．独立特許要件についてのまとめ
　以上のとおりであるから、本願補正発明１は、特許法第２９条第２項の規定により、特許出願の際独立して特許を受けることができないものである。
　
４．むすび
　したがって、本件手続補正は、特許法第１７条の２第４項の規定、及び、特許法第１７条の２第５項で準用する同法第１２６条第４項の規定に違反するものであるから、特許法第１５９条第１項の規定によって読み替えて準用する同法第５３条第１項の規定により却下されるべきものである。
　
III．本願発明について
１．本願発明
　平成１７年２月１０日付の手続補正は上記のとおり却下されたので、本願の請求項１、２に係る発明は、特許請求の範囲の請求項１、２に記載された事項により特定されるものと認められるところ、そのうち本願の請求項１に係る発明（以下、「本願発明１」という。）は、次のとおりである。
　「【請求項１】　Ａｌ：４〜２２質量％，Ｍｇ：１〜４質量％，Ｔｉ：０〜０.１質量％，Ｂ：０〜０.０４５質量％を含み、残部が実質的にＺｎの組成をもち、Ａｌ／Ｚｎ／Ｚｎ２Ｍｇの三元共晶組織のマトリックスに初晶Ａｌ相又は初晶Ａｌ相及びＺｎ単相が混在した金属組織の溶融めっき層が設けられている溶融めっき鋼板を基材とし、エポキシ系樹脂塗膜を介して塗膜伸び率１００％以上の熱硬化型樹脂塗膜が溶融めっき層の上に設けられていることを特徴とする加工性及び加工部耐食性に優れた塗装めっき鋼板。」
　
２．引用刊行物とその記載事項
　原査定の拒絶の理由に引用された引用例１、２とその主な記載事項は、前記「II．３−１．」に記載したとおりである。
　
３．当審の判断
　本願発明１を特定するために必要な事項を全て含み、さらに具体的に限定したものに相当する本願補正発明１は、前記「II．３−２．」に記載したとおり、引用例１、２に記載された発明及び上記周知事項に基づいて当業者が容易に発明をすることができたものであるから、本願発明１も同様の理由で、引用例１、２に記載された発明及び上記周知事項に基づいて当業者が容易に発明をすることができたものである。
　
４．むすび
　以上のとおり、本願発明１は、当業者が容易に発明をすることができたものであり、特許法第２９条第２項の記載により特許を受けることができないから、その余の発明について検討するまでもなく、本願は拒絶すべきものである。
　よって、結論のとおり審決する。